(57)【要約】      （修正有）【課題】作業者にかかるディスクグラインダーの荷重を軽減することで、作業者の作業負担を軽減すると共に、容易に全方向に移動させることができる研磨補助具を提供する。【解決手段】本体ケース２から突出したスピンドルに装着されて、被研磨材を研磨する円盤状の研磨具（研磨ブラシ５、研磨砥石など）を具備するディスクグラインダー１の研磨補助具１０であって、該研磨補助具は、前記研磨具の外周の一部を覆う安全カバーを抱持して、前記研磨具の研磨面と同一の平面または離間するように取り付けられている。また、前記研磨補助具は、前記被研磨材の研磨面と対向する摺動部１２と該摺動部から立設された立壁が円弧状に形成され、該立壁の円周上に複数の長孔１３が上下方向に穿設され、上下移動可能にビスで取り付けられている。【選択図】図１
0003215829.tif 000002
【実用新案登録請求の範囲】
【請求項１】
本体ケースから突出したスピンドルに装着されて、被研磨材を研磨する円盤状の研磨具を具備するディスクグラインダーの研磨補助具であって、
該研磨補助具は、前記研磨具の外周の一部を覆う安全カバーを抱持して、前記研磨具の研磨面と同一面または離間するように取り付けられていることを特徴とする研磨補助具。
【請求項２】
前記研磨補助具は、前記被研磨材の研磨面と対向する摺動部と該摺動部から立設された立壁が円弧状に形成され、該立壁の円周上に複数の長孔が上下方向に穿設され、上下移動可能にビスで取り付けられていることを特徴とする請求項１に記載の研磨補助具。
【考案の詳細な説明】
【技術分野】
【０００１】  本考案は、携帯型のディスクグラインダーに装着される研磨具を覆う安全カバーに装着された研磨補助具に関するものである。
【背景技術】
【０００２】  金属等の被削材の表面を平らに研削及び研磨（以下、研磨という）する平面研磨作業においては、ディスク形の先端工具を備えた携帯型のディスクグラインダーが多く用いられている。該ディスクグラインダーのケースの先端側には、ケースの軸方向に直交して円筒状のボス部が設けられており、該ボス部からディスクグラインダーの出力軸となるスピンドルが突出し、該スピンドルの先端に研磨具（例えば、研磨砥石）が取付られている。前記スピンドルはギヤ機構を介して駆動源に接続されており、該駆動源が作動すると、スピンドルとともに研磨具が駆動源により回転駆動されるようになっている。【０００３】  前記ディスクグラインダーを用いた平面研磨作業は、研磨具の表面全体を被削材の表面に押し当て、これを前後左右に動かすことにより行われる。しかし、前記ディスクグラインダーの本体部分を握り、研磨具の表面全体を被削材に均一に押し付けることは困難であり、前記研磨具の表面と被削材の表面とは、若干の角度α（例えば、５〜３０度）が生じていた（図４参照）。そこで、研磨作業者に対するディスクグラインダーの荷重を低減して、前記研磨作業者の作業負担を少なくし、容易に全方向に移動させることができるとともに、余分な腕力や握力を必要としない補助具が望まれていた。【０００４】  前記課題を解決するために、本体ケースから突出した駆動軸に固定された円盤状の研磨砥石を具備するディスクグラインダーの補助具であって、円盤状の前記研磨砥石の外周外側で加工物表面を滑動自在な滑動体と、前記研磨砥石の研磨面の一部分を加工物の表面より離間させるように前記滑動体を前記研磨面より突出させるように支持する支持具とを有するディスクグラインダーの補助具が開示されている（特許文献１参照。）。
【考案が解決しようとする課題】
【０００５】  しかしながら、特許文献１に記載の補助具は、滑動自在な滑動体が、ボールベアリングと、このボールベアリングを回動自在に収納する箱体と、この箱体からボールベアリングが突出する度合いを調節する調整ネジから構成されており、補助具の構造が複雑となるだけでなく、ディスクグラインダーの自重が増加して、作業者にとって操作性が悪くなるという問題があった。
【先行技術文献】
【特許文献】
【０００６】
【特許文献１】特開２００２−３５５７４５号公報
【課題を解決するための手段】
【０００７】  本考案は前記課題を解決するために成されたものであり、請求項１に記載の研磨補助具は、本体ケースから突出したスピンドルに装着されて、被研磨材を研磨する円盤状の研磨具、例えば、研磨ブラシ、研磨砥石等を具備するディスクグラインダーの研磨補助具であって、該研磨補助具は、前記研磨具の外周の一部を覆う安全カバーを抱持して、前記研磨具の研磨面と同一の平面または離間するように取り付けられていることを特徴とする。
【０００８】  本考案の請求項２は、前記研磨補助具は、前記被研磨材の研磨面と対向する摺動部と該摺動部から立設された立壁が円弧状に形成され、該立壁の円周上に複数の長孔が上下方向または斜方向に穿設され、上下移動可能にビスで取り付けられていることを特徴とする。
【考案の効果】
【０００９】  本考案の研磨補助具は、研磨具の外周の一部を覆う安全カバーを抱持して、前記研磨具の研磨面と同一の平面または離間するように取付られているので、前記研磨具の表面全体を被研磨面に当接して研磨が可能となる。これにより、ディスクグラインダーの荷重は研磨ブラシの研磨面と保持具の滑動部によって支えられ、作業者の作業負担が少なくなり、作業負担が軽減するという効果がある。また、容易に全方向に移動させることができ、加えて、余分な腕力や握力を必要としないという効果がある。
【００１０】  本考案の研磨補助具は、被研磨面と向い合う摺動部と該摺動部から立設された立壁が夫々円弧状に形成されており、該立壁の円周上に設けられた複数の上下方向または斜方向の長孔に、上下移動可能にビスで取付られている。したがって、常時、前記研磨具の表面と前記被研磨面を略平面に当接して研磨が可能となる。これにより、研削作業者は、ディスクグラインダーの荷重がかからず、作業負担が少なくなり、容易に全方向に移動させることができ、加えて、余分な腕力や握力を必要としないという効果がある、
【図面の簡単な説明】
【００１１】
【図１】  本考案の実施形態の一例を示す研磨補助具の正面図である。
【図２】  本考案の実施形態の一例を示す研磨補助具の側面図である。
【図３】  本考案の実施形態の一例を示す研磨補助具の底面図である。
【図４】  従来の研磨方法を示す正面面である。
【考案を実施するための形態】
【００１２】  以下、本考案の実施形態について、図面を参照して説明する。図１は、本考案の実施形態の一例を示す研磨補助具の正面図、図２は、その側面図、図３は、その底面図である。
【００１３】  ディスクグラインダーは略円筒形に形成された本体ケースを備えており、この本体ケースの内部に電動モータ（図示しない）が収容されている。該電動モータは本体ケース２の後端部から引き出された電源コード（図示しない）を介して商用電源に接続されており、この商用電源から供給される電力により作動する。
【００１４】  本体ケース２の先端部分にはギヤケース３が取付られている。該ギヤケース３は本体ケース２の軸方向に直交する円筒状のボス部を備えており、このボス部に回転自在に支持されてギヤケース２にはスピンドル４が設けられている。このスピンドル４はボス部と同軸に配置されており、その先端部分はボス部からギヤケース３の外部に向けて突出している。ギヤケース３の内部には一対のベベルギヤ（図示しない）が収容されており、これらのベベルギヤにより電動モータの回転が９０度方向を変えてスピンドル４に伝達されるようになっている。
【００１５】  本体ケース２に設けられた電源スイッチ（図示しない）がオンされると、電動モータに電力が供給され、スピンドル４とともに研磨ブラシ５が電動モータに駆動されて回転する。回転した研磨ブラシ５の先端全体を被研磨材Ａの表面に均一に押し当てて前後左右に動かすことにより、前記被研磨材Ａの研磨面Ｂを平らにする平面研磨作業を行うことができる。
【００１６】  なお、本実施形態では、研磨ブラシ５を用いるようにしているが、前記研磨ブラシ５に限定されず、被研磨材Ａの研磨面Ｂに押し当てることにより被研磨材Ａの研磨面Ｂを研磨することができる研磨具、例えば、研磨砥石等を用いることができる。
【００１７】  補助具１０は安全カバー６の立壁７と同一の円弧を有する立壁部１１と、該立壁部１１の下端から水平方向の放射状に延設された摺動部１２を含んで構成されている。また、前記立壁１１には円周上に略等間隔で３箇所の長孔１３が穿設されている。
【００１８】  補助具１０と安全カバー６の取付け手順は以下のとおりである。
１）ディスクグラインダー１のスピンドル４に研磨ブラシ５を取付る。
２）前記ディスクグラインダー１に取付られている安全カバー６の立壁７に、補助具１０の立壁部１１を抱持させて、該補助具１０の３箇所の長孔１３に当接する安全カバー６の立壁７位置を特定し、該位置にボルト孔８を穿設する。
３）再度、前記安全カバー６の立壁７に補助具１０の立壁部１１を抱持して長孔１３とボルト孔８を一致させた状態で保持し、別途用意した蝶ボルト、ナット及びワッシャ１４を用いて仮固定する。
４）ディスクグラインダー１の本体ケース２を水平にして、前記研磨ブラシ５の先端部を被研磨材Ａの研磨面Ｂに当接させた状態で、前記補助具１０の摺動部１２を前記被研磨材Ａの研磨面Ｂに当接又は少し離間させた状態で保持し、前記蝶ボルト、ナット及びワッシャ１４で固定する。
５）この状態でディスクグラインダー１をオンにすれば、被研磨材Ａの研磨面Ｂとディスクグラインダー１の本体軸心を略平行に保持しながら研磨作業をすることができる。
【００１９】  以上の準備が整ってから、研磨作業者は、本体ケース１２（必要に応じて支えハンドル）を両手で持って被研磨材Ａの研磨面Ｂにディスクグラインダー１の研磨ブラシ５と補助具１０を載せてスイッチを入れると、研磨作業を開始することができる。
ディスクグラインダー１の重量は、研磨ブラシ５の先端と補助具１０の摺動部１２によって安定して支えられるため、研磨作業者にかかる負担は少なくなる。また、被研磨材Ａの研磨面上を移動させる時にも、作業者は両手で持っている本体ケース２（及び支えハンドル）を持ち上げることなく、どの方向の移動方向へも軽く力を加えるだけで、力を加えた方向へ移動させることができる。
【産業上の利用可能性】
【００２０】  本考案の補助具は、ディスクグラインダーを用いた研磨作業や研削作業に広く用いることができる。
【符号の説明】
【００２１】  １  ディスクグラインダー
２  本体ケース
３  ギャーケース
４  スピンドル
５  研磨ブラシ
６  安全カバー
７  立壁
８  ボルト孔
９  研磨砥石
１０  補助具
１１  立壁部
１２  摺動部
１３  長孔
１４  蝶ボルト、ナット、ワュシャ
Ａ  被研磨材
Ｂ  研磨面
α  角度
【図１】
0003215829.tif 000003
【図２】
0003215829.tif 000004
【図３】
0003215829.tif 000005
【図４】
0003215829.tif 000006